(57)【要約】      （修正有）【課題】小型でも、諸収差が良好に補正された、Ｆ２．４以下の明るさを持つ６枚構成の撮像レンズ及びそれを用いた撮像装置を提供する。【解決手段】物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなり、開口絞りＳが第１レンズの物体側、または第１レンズと第２レンズとの間に配置され、第６レンズの像側面は非球面形状であり、光軸との交点以外の位置に極値を有し、以下の条件式を満足する。０．６６≦ＤＥＶ２Ｓ１／ＥＤｉａＳ１≦０．９７（１）、０．４８＜ＤＥＶ１Ｓ２／ＥＤｉａＳ２＜０．９７（２）、０．６０＜ｆ１×ｔａｎω／Ｙ＜０．９５（３）、−０．６０＜ｆ６×ｔａｎω／Ｙ≦−０．４３（４）【選択図】図５
2014232147.tif 000002
【特許請求の範囲】
【請求項１】
固体撮像素子の光電変換部に被写体像を結像させるための撮像レンズであって、
物体側より順に、
正の屈折力を有し光軸近傍で物体側に凸面を向け、両面共に非球面形状とした第１レンズ、
負の屈折力を有し光軸近傍で像側に凹面を向けた第２レンズ、
第３レンズ、
第４レンズ、
第５レンズ、
負の屈折力を有し光軸近傍で像側に凹面を向けた第６レンズ、からなり、
開口絞りが前記第１レンズの物体側、または前記第１レンズと前記第２レンズとの間に配置され、
前記第６レンズの像側面は非球面形状であり、光軸との交点以外の位置に極値を有し、
以下の条件式を満足することを特徴とする撮像レンズ。
０．６６≦ＤＥＶ２Ｓ１／ＥＤｉａＳ１≦０．９７      （１）
０．４８＜ＤＥＶ１Ｓ２／ＥＤｉａＳ２＜０．９７      （２）
０．６０＜ｆ１×ｔａｎω／Ｙ＜０．９５      （３）
−０．６０＜ｆ６×ｔａｎω／Ｙ≦−０．４３      （４）
ただし、
ＤＥＶ２Ｓ１：前記第１レンズ物体側面サグ量の２回微分の値が有効径内で最大値となる位置の、光軸からの距離（ｍｍ）
ＥＤｉａＳ１：前記第１レンズ物体側面の有効半径（ｍｍ）
ＤＥＶ１Ｓ２：前記第１レンズ像側面サグ量の１回微分の値が有効径内で最大値となる位置の、光軸からの距離（ｍｍ）
ＥＤｉａＳ２：前記第１レンズ像側面の有効半径（ｍｍ）
ｆ１：前記第１レンズの焦点距離（ｍｍ）
ω：前記撮像レンズの最大画角（°）
Ｙ：前記撮像レンズの最大像高（ｍｍ）
ｆ６：前記第６レンズの焦点距離（ｍｍ）
【請求項２】
以下の条件式を満足することを特徴とする請求項１に記載の撮像レンズ。
−１．９＜ｆ２×ｔａｎω／Ｙ＜−１．０      （５）
ただし、
ｆ２：前記第２レンズの焦点距離（ｍｍ）
ω：前記撮像レンズの最大画角（°）
Ｙ：前記撮像レンズの最大像高（ｍｍ）
【請求項３】
以下の条件式を満足することを特徴とする請求項１又は２に記載の撮像レンズ。
１．５＜ｆ３×ｔａｎω／Ｙ＜７．５      （６）
ただし、
ｆ３：前記第３レンズの焦点距離（ｍｍ）
ω：前記撮像レンズの最大画角（°）
Ｙ：前記撮像レンズの最大像高（ｍｍ）
【請求項４】
以下の条件式を満足することを特徴とする請求項１〜３のいずれか１項に記載の撮像レンズ。
０．３８＜ｒ１×ｔａｎω／Ｙ＜０．５５      （７）
ただし、
ｒ１：前記第１レンズ物体側面の曲率半径（ｍｍ）
ω：前記撮像レンズの最大画角（°）
Ｙ：前記撮像レンズの最大像高（ｍｍ）
【請求項５】
以下の条件式を満足することを特徴とする請求項１〜４のいずれか１項に記載の撮像レンズ。
０．６＜ｒ４×ｔａｎω／Ｙ＜１．８      （８）
ただし、
ｒ４：前記第２レンズ像側面の曲率半径（ｍｍ）
ω：前記撮像レンズの最大画角（°）
Ｙ：前記撮像レンズの最大像高（ｍｍ）
【請求項６】
以下の条件式を満足することを特徴とする請求項１〜５のいずれか１項に記載の撮像レンズ。
０．０２＜ＴＨＩＬ２×ｔａｎω／Ｙ＜０．０７      （９）
ただし、
ＴＨＩＬ２：前記第２レンズの光軸上の厚み（ｍｍ）
ω：前記撮像レンズの最大画角（°）
Ｙ：前記撮像レンズの最大像高（ｍｍ）
【請求項７】
以下の条件式を満足することを特徴とする請求項１〜６のいずれか１項に記載の撮像レンズ。
０．０５５＜ＴＨＩＬ６×ｔａｎω／Ｙ＜０．１４５      （１０）
ただし、
ＴＨＩＬ６：前記第６レンズの光軸上の厚み（ｍｍ）
ω：前記撮像レンズの最大画角（°）
Ｙ：前記撮像レンズの最大像高（ｍｍ）
【請求項８】
以下の条件式を満足することを特徴とする請求項１〜７のいずれか１項に記載の撮像レンズ。
１０＜｜ν３−ν４｜＜５５      （１１）
ただし、
ν３：前記第３レンズのアッベ数
ν４：前記第４レンズのアッベ数
【請求項９】
以下の条件式を満足することを特徴とする請求項１〜８のいずれか１項に記載の撮像レンズ。
２０＜ν１−ν２＜５５      （１２）
ただし、
ν１：前記第１レンズのアッベ数
ν２：前記第２レンズのアッベ数
【請求項１０】
前記第６レンズの物体側面は非球面形状であり、光軸との交点以外の位置に極値を有することを特徴とする請求項１〜９のいずれか１項に記載の撮像レンズ。
【請求項１１】
実質的に屈折力を有しないレンズを有することを特徴とする請求項１〜１４のいずれか１項に記載の撮像レンズ。
【請求項１２】
請求項１〜１５のいずれかに１項に記載の撮像レンズを有することを特徴とする撮像装置。
【請求項１３】
請求項１２に記載の撮像装置を有することを特徴とする携帯端末。
【発明の詳細な説明】
【技術分野】
【０００１】
本発明は、ＣＣＤ型イメージセンサあるいはＣＭＯＳ型イメージセンサ等の固体撮像素子を用いた撮像レンズ、撮像装置、およびこれを備える携帯端末に関する。
【背景技術】
【０００２】
近年、CCD型イメージセンサやCMOS型イメージセンサ等の固体撮像素子を用いた撮像装置が搭載された携帯端末の普及の増大に伴い、より高画質の画像が得られるよう、高画素数をもつ撮像素子を使用した撮像装置が搭載されたものが市場に供給されるようになってきた。従来の高画素数をもつ一般的な撮像素子は大型化をともなっていたが、近年、画素の微細化が進み、撮像素子が小型化されるようになってきた。このような微細化された撮像素子に使用される撮像レンズは高い解像力が要求されるが、解像力はＦナンバーにより限界があり、Ｆナンバーの小さい明るいレンズの方が高解像力を得られるため、従来のようにＦ２．８程度のＦナンバーでは十分な性能が得られなくなってきた。そこで、高画素化、微細化、小型化された撮像素子に適した、Ｆ２．４以下の明るい撮像レンズが求められるようになってきた。このような用途の撮像レンズとしては、４枚あるいは５枚構成のレンズに比べ大口径比化および高性能化が可能である６枚構成の撮像レンズが提案されている。
【０００３】
６枚構成の撮像レンズとして、物体側より順に正の屈折力を有する第１レンズ、負の屈折力を有する第２レンズ、開口絞り、正の屈折力を有する第３レンズ、負の屈折力を有する第４レンズ、正の屈折力を有する第５レンズ、負の屈折力を有する第６レンズで構成された撮像レンズが、例えば特許文献１に開示されている。
【先行技術文献】
【特許文献】
【０００４】
【特許文献１】特開2012-155223号公報
【特許文献２】米国特許公開第2012/0188654号明細書
【発明の概要】
【発明が解決しようとする課題】
【０００５】
しかしながら、上記特許文献１に記載の撮像レンズは、開口絞りが第２レンズの後方に配置されており、良好なテレセントリック特性を確保するためには撮像レンズ全長を大きくしなければならず、小型化には不向きである。
【０００６】
また、特許文献１と似たような構成で、物体側より順に正の屈折力を有する第１レンズ、負の屈折力を有する第２レンズ、負の屈折力を有する第３レンズ、正の屈折力を有する第４レンズ、正の屈折力を有する第５レンズ、負の屈折力を有する第６レンズで構成された撮像レンズが、例えば特許文献２に開示されている。
【０００７】
しかしながら、上記特許文献２に記載の撮像レンズは、収差補正が不十分で十分な小型化ができているとはいいがたい。また、ＦナンバーがＦ２．８と暗い撮像レンズであり、近年の高画素化、高性能化への対応ができていない。
【０００８】
本発明は、このような問題点に鑑みてなされたものであり、従来タイプより小型でありながらも、諸収差が良好に補正された、Ｆ２．４以下の明るさを持つ６枚構成の撮像レンズ及びそれを用いた撮像装置並びに携帯端末を提供することを目的とする。
【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜０．９０      （１３）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
【００１０】
ここで、像側焦点とは撮像レンズに光軸と平行な平行光線が入射した場合の像点をいう。なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜０．８０      （１３）’
【課題を解決するための手段】
【００１１】
請求項１に記載の撮像レンズは、固体撮像素子の光電変換部に被写体像を結像させるための撮像レンズであって、
物体側より順に、
正の屈折力を有し光軸近傍で物体側に凸面を向け、両面共に非球面形状とした第１レンズ、
負の屈折力を有し光軸近傍で像側に凹面を向けた第２レンズ、
第３レンズ、
第４レンズ、
第５レンズ、
負の屈折力を有し光軸近傍で像側に凹面を向けた第６レンズ、からなり、
開口絞りが前記第１レンズの物体側、または前記第１レンズと前記第２レンズとの間に配置され、
前記第６レンズの像側面は非球面形状であり、光軸との交点以外の位置に極値を有し、
以下の条件式を満足することを特徴とする。
０．６６≦ＤＥＶ２Ｓ１／ＥＤｉａＳ１≦０．９７      （１）
０．４８＜ＤＥＶ１Ｓ２／ＥＤｉａＳ２＜０．９７      （２）
０．６０＜ｆ１×ｔａｎω／Ｙ＜０．９５      （３）
−０．６０＜ｆ６×ｔａｎω／Ｙ≦−０．４３      （４）
ただし、
ＤＥＶ２Ｓ１：前記第１レンズ物体側面サグ量の２回微分の値が有効径内で最大値となる位置の、光軸からの距離（ｍｍ）
ＥＤｉａＳ１：前記第１レンズ物体側面の有効半径（ｍｍ）
ＤＥＶ１Ｓ２：前記第１レンズ像側面サグ量の１回微分の値が有効径内で最大値となる位置の、光軸からの距離（ｍｍ）
ＥＤｉａＳ２：前記第１レンズ像側面の有効半径（ｍｍ）
ｆ１：前記第１レンズの焦点距離（ｍｍ）
ω：前記撮像レンズの最大画角（°）
Ｙ：前記撮像レンズの最大像高（ｍｍ）
ｆ６：前記第６レンズの焦点距離（ｍｍ）
【００１２】
小型で収差の良好に補正された撮像レンズを得るための本発明の基本構成は、物体側より順に、正の屈折力を有し光軸近傍で物体側に凸面を向け、両面共に非球面形状とした第１レンズ、負の屈折力を有し光軸近傍で像側に凹面を向けた第２レンズ、第３レンズ、第４レンズ、第５レンズ、負の屈折力を有し光軸近傍で像側に凹面を向けた第６レンズ、からなる。物体側より順に、第１レンズ、第２レンズ、第３レンズ、第４レンズ、第５レンズからなる正レンズ群と、負の第６レンズを配置する、いわゆるテレフォトタイプのこのレンズ構成は、撮像レンズ全長の小型化には有利な構成である。
【００１３】
また、６枚構成のうち２枚以上を負レンズとすることで、発散作用を有する面を多くしてペッツバール和の補正を容易とし、画面周辺部まで良好な結像性能を確保した撮像レンズを得ることが可能となる。さらに、第１レンズの物体側面を凸面とすることで、撮像レンズ全系の合成主点位置をより物体側へ寄せることができ、撮像レンズ全長の小型化に有利となる。
【００１４】
また、最も像側に配置された第６レンズの像側面を非球面とすることで、画面周辺部での諸収差を良好に補正することができる。さらに、光軸との交点以外の位置に極値を持つ非球面形状とすることで、像側光束のテレセントリック特性が確保しやすくなる。
【００１５】
ここで、「極値」とは有効半径内でのレンズ断面形状の曲線において、非球面頂点の接平面が光軸と垂直な平面となるような非球面上の点のことである。
【００１６】
また、開口絞りを第１レンズの物体側、または像側に配置することで、撮像レンズ全長の小型化と良好なテレセントリック特性の両立を行うことができる。
【００１７】
条件式（１）、（２）は第１レンズの周辺形状を規定し、撮像レンズの球面収差形状を適切に制御するための条件式である。
【００１８】
図１を参照して、撮像レンズ全長が短い光学系では、球面収差をマイナス方向に倒れるような形状とし、像面湾曲もそれに合わせてマイナス方向に倒れるような形状とすることで、周辺の像面湾曲を良好に補正する、所謂アンダーバランスにするのが一般的である。しかし、Ｆナンバーが小さく明るい光学系では、より多くの被写体光を取り込むために入射瞳径が大きくなる傾向があるので、アンダーバランスにする為に、より光軸から離れた入射瞳周縁部における球面収差がマイナス側に倒れすぎてしまい、像面性を逆に悪化させる可能性がある。
【００１９】
そこで、球面収差への影響の大きな、開口絞りに最も近い第１レンズの周辺部形状を、条件式（１）、（２）の範囲に設定することで、Ｆナンバーが小さく明るい光学系での球面収差形状を適切に制御することが可能となる。ここで、「サグ量の１回微分の最大値」とは、有効半径内でのレンズ断面形状の曲線における傾きの最大値を意味し、「サグ量の２回微分の最大値」とは、傾きの変化量の最大値を意味する。つまり、第１レンズの物体側面において周辺部形状はその光軸側より凹面形状に近くなり、像側面において周辺部形状はその光軸側より凸面形状に近づく。よって条件式（１）、（２）を所定範囲とすることで、第１レンズの形状が像側に凸面を向けたメニスカス形状に近づく周辺部の位置が特定され、入射瞳周縁部における球面収差がマイナス側からプラス側に向かうような特性にできる。具体的には、条件式（１）、（２）の値が下限を上回ることで、適度にアンダーバランスとすることができるので、周辺光束の像面湾曲を良好に補正することができる。一方、条件式（１）、（２）の値が上限を下回ることで、入射瞳周縁部の球面収差がマイナス方向に倒れすぎることを抑制することができる。
【００２０】
さらに、条件式（３）、（４）を満足するようにすることで、撮像レンズ全長の短縮と収差補正を両立させることができるようになる。具体的には、条件式（３）の値が上限を下回ることで、第１レンズの屈折力を適度に維持することができ、第１レンズから第５レンズの合成主点をより物体側へ配置することができ、撮像レンズ全長を短くすることができる。一方、条件式（３）の値が下限を上回ることで、第１レンズの屈折力が必要以上に大きくなりすぎず、第１レンズで発生する、高次の球面収差やコマ収差を小さく抑えることができる。
【００２１】
更に、条件式（４）の値が下限を上回ることで、第６レンズの負の屈折力を適度に維持することができ、バックフォーカスを確保しやすくなり、軸上の色収差を良好に補正することができる。一方条件式（４）の値が上限を下回ることで、第６レンズの負の屈折力が強くなりすぎず、撮像レンズ全長を短縮することができる。
【００２２】
また、条件式（１）〜（４）は、より望ましくは下式の範囲がよい。
０．６７＜ＤＥＶ２Ｓ１／ＥＤｉａＳ１＜０．９２      （１）’
０．４８＜ＤＥＶ１Ｓ２／ＥＤｉａＳ２＜０．８２      （２）’
０．７４＜ｆ１×ｔａｎω／Ｙ＜０．９４      （３）’
−０．５８＜ｆ６×ｔａｎω／Ｙ＜−０．４３      （４）’
【００２３】
請求項２に記載の撮像レンズは、請求項１に記載の発明において、以下の条件式を満足することを特徴とする。
−１．９＜ｆ２×ｔａｎω／Ｙ＜−１．０      （５）
ただし、
ｆ２：前記第２レンズの焦点距離（ｍｍ）
ω：前記撮像レンズの最大画角（°）
Ｙ：前記撮像レンズの最大像高（ｍｍ）
【００２４】
条件式（５）は第２レンズの焦点距離を適切に設定するための条件式である。条件式（５）の値が上限を下回ることで、第２レンズの負の屈折力が必要以上に強くなりすぎず、周辺部でのコマ収差や歪曲収差を小さくすることができる。一方、条件式（５）の値が下限を上回ることで、第２レンズの負の屈折力を適度に維持することができ、ペッツバール和の低減や像面湾曲の補正に効果がある。また、より望ましくは下式の範囲がよい。
−１．７５＜ｆ２×ｔａｎω／Ｙ＜−１．２８      （５）’
【００２５】
請求項３に記載の撮像レンズは、請求項１又は２に記載の発明において、以下の条件式を満足することを特徴とする。
１．５＜ｆ３×ｔａｎω／Ｙ＜７．５      （６）
ただし、
ｆ３：前記第３レンズの焦点距離（ｍｍ）
ω：前記撮像レンズの最大画角（°）
Ｙ：前記撮像レンズの最大像高（ｍｍ）
【００２６】
条件式（６）は第３レンズの焦点距離を適切に設定するための条件式である。条件式（６）の値が上限を下回ることで、第３レンズの屈折力を適度に維持することができ、第１レンズから第３レンズまでを正負正の順で配置する、所謂トリプレットの効果を強めることができるため、像面湾曲や非点収差を良好に補正することができるようになる。一方、条件式（６）の値が下限を上回ることで、第３レンズの屈折力が強くなりすぎず、撮像レンズ全長を短縮することができる。また、より望ましくは下式の範囲がよい。
１．７＜ｆ３×ｔａｎω／Ｙ＜７．０      （６）’
【００２７】
請求項４に記載の撮像レンズは、請求項１〜３のいずれかに記載の発明において、以下の条件式を満足することを特徴とする。
０．３８＜ｒ１×ｔａｎω／Ｙ＜０．５５      （７）
ただし、
ｒ１：前記第１レンズ物体側面の曲率半径（ｍｍ）
ω：前記撮像レンズの最大画角（°）
Ｙ：前記撮像レンズの最大像高（ｍｍ）
【００２８】
条件式（７）は第１レンズ物体側面の曲率半径を適切に設定し撮像レンズ全長の短縮化と収差補正を適切に達成するための条件式である。条件式（７）の値が上限を下回ることで、第１レンズ物体側面の屈折力を適度に維持することができ、第１レンズと第２レンズの合成主点をより物体側へ配置することができ、撮像レンズ全長を短くすることができる。一方、条件式（７）の値が下限を上回ることで、第１レンズ物体側面の屈折力が必要以上に大きくなりすぎず、第１レンズで発生する、高次の球面収差やコマ収差を小さく抑えることができる。また、より望ましくは下式の範囲がよい。
０．３８＜ｒ１×ｔａｎω／Ｙ＜０．５０      （７）’
【００２９】
請求項５に記載の撮像レンズは、請求項１〜４のいずれかに記載の発明において、以下の条件式を満足することを特徴とする。
０．６＜ｒ４×ｔａｎω／Ｙ＜１．８      （８）
ただし、
ｒ４：前記第２レンズ像側面の曲率半径（ｍｍ）
ω：前記撮像レンズの最大画角（°）
Ｙ：前記撮像レンズの最大像高（ｍｍ）
【００３０】
条件式（８）は第２レンズ像側面の曲率半径を適切に設定する条件である。第２レンズの像側面を、条件式（８）を満足するような強い発散面とすることで、正の屈折力を有する第１レンズで発生した軸上色収差を第２レンズで良好に補正することができる。具体的には、上限式（８）の値が下限を上回ることで、曲率半径が小さくなりすぎず、加工性を損なわない。一方で、上限式（８）の値が上限を下回ることで、ペッツバール和を小さく保ちながら色収差を良好に補正することができる。また、より望ましくは下式の範囲がよい。
０．６５＜ｒ４×ｔａｎω／Ｙ＜０．９８      （８）’
【００３１】
請求項６に記載の撮像レンズは、請求項１〜５のいずれかに記載の発明において、以下の条件式を満足することを特徴とする。
０．０２＜ＴＨＩＬ２×ｔａｎω／Ｙ＜０．０７      （９）
ただし、
ＴＨＩＬ２：前記第２レンズの光軸上の厚み（ｍｍ）
ω：前記撮像レンズの最大画角（°）
Ｙ：前記撮像レンズの最大像高（ｍｍ）
【００３２】
条件式（９）は第２レンズの光軸上の厚みを適切に設定するための条件式である。条件式（９）の値が下限を上回ることで、第２レンズの厚みが薄くなりすぎず、成形性を損なわなない。一方、条件式（９）の値が上限を下回ることで、第２レンズの厚みが厚くなりすぎず、Ｌ２前後のレンズ間隔を確保しやすくなり、結果として撮像レンズ全長の短縮化を行うことができる。また、より望ましくは下式の範囲がよい。
０．０２８＜ＴＨＩＬ２×ｔａｎω／Ｙ＜０．０４１      （９）’
【００３３】
請求項７に記載の撮像レンズは、請求項１〜６のいずれかに記載の発明において、以下の条件式を満足することを特徴とする。
０．０５５＜ＴＨＩＬ６×ｔａｎω／Ｙ＜０．１４５      （１０）
ただし、
ＴＨＩＬ６：前記第６レンズの光軸上の厚み（ｍｍ）
ω：前記撮像レンズの最大画角（°）
Ｙ：前記撮像レンズの最大像高（ｍｍ）
【００３４】
条件式（１０）は第６レンズの光軸上の厚みを適切に設定するための条件式である。条件式（１０）の値が下限を上回ることで、第６レンズの厚みが薄くなりすぎず、成形性を損なわない。一方、条件式（１０）の値が上限を下回ることで、第６レンズの厚みが厚くなりすぎず、バックフォーカスを確保しやすくなる。また、より望ましくは下式の範囲がよい。
０．０５５＜ＴＨＩＬ６×ｔａｎω／Ｙ＜０．０９５      （１０）’
【００３５】
請求項８に記載の撮像レンズは、請求項１〜７のいずれかに記載の発明において、以下の条件式を満足することを特徴とする。
１０＜｜ν３−ν４｜＜５５      （１１）
ただし、
ν３：前記第３レンズのアッベ数
ν４：前記第４レンズのアッベ数
【００３６】
条件式（１１）は、撮像レンズ全系の色収差を良好に補正するための条件式である。条件式（１１）の下限を上回ることで、軸上色収差や倍率色収差などの色収差をバランス良く補正することができる。一方、上限を下回ることで、入手しやすい硝材で構成することができる。また、より望ましくは下式の範囲がよい。
２０＜｜ν３−ν４｜＜４５      （１１）’
【００３７】
請求項９に記載の撮像レンズは、請求項１〜８のいずれかに記載の発明において、以下の条件式を満足することを特徴とする。
２０＜ν１−ν２＜５５      （１２）
ただし、
ν１：前記第１レンズのアッベ数
ν２：前記第２レンズのアッベ数
【００３８】
条件式（１２）は、撮像レンズ全系の色収差を良好に補正するための条件式である。条件式（１２）の値が下限を上回ることで、軸上色収差や倍率色収差などの色収差をバランス良く補正することができる。一方、条件式（１２）の値が上限を下回ることで、入手しやすい硝材で構成することができる。また、より望ましくは下式の範囲がよい。
２０＜ν１−ν２＜４５      （１２）’
【００３９】
請求項１０に記載の撮像レンズは、請求項１〜９のいずれかに記載の発明において、前記第６レンズの物体側面は非球面形状であり、光軸との交点以外の位置に極値を有することを特徴とする。
【００４０】
第６レンズの物体側面を非球面形状とし、光軸との交点以外の位置に極値を有する形状とすることで、画面周辺部の歪曲収差をより良好に補正し、テレセントリック特性をさらに良好にすることができるようになる。
【００４１】
請求項１１に記載の撮像レンズは、請求項１〜１０のいずれかに記載の発明において、実質的に近軸領域は屈折力を有しないレンズを有することを特徴とする。つまり、請求項１の構成に、実質的に近軸領域はパワーを持たないレンズを付与した場合でも本発明の適用範囲内である。このようなレンズを付与することで瞳周辺領域の像面性を一層改善したり、ＩＲカットフィルタの機能を持たせたりすることが可能となる。
【００４２】
請求項１２に記載の撮像装置は、請求項１〜１１のいずれかに記載の撮像レンズを有することを特徴とする。
【００４３】
請求項１３に記載の携帯端末は、請求項１２に記載の撮像装置を有することを特徴とする。
【発明の効果】
【００４４】
本発明によれば、従来タイプより小型でありながらも、諸収差が良好に補正された、Ｆ２．４以下の明るさを持つ６枚構成の撮像レンズ及びそれを用いた撮像装置並びに携帯端末を提供することができる。
【図面の簡単な説明】
【００４５】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯端末としてのスマートフォンの正面図（ａ）、及び撮像ユニットを適用したスマートフォンの背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ））である。
【図７】実施例２の撮像レンズの光軸方向断面図である。
【図８】実施例２の収差図（球面収差（ａ）、非点収差（ｂ）、歪曲収差（ｃ））である。
【図９】実施例３の撮像レンズの光軸方向断面図である。
【図１０】実施例３の収差図（球面収差（ａ）、非点収差（ｂ）、歪曲収差（ｃ））である。
【図１１】実施例４の撮像レンズの光軸方向断面図である。
【図１２】実施例４の収差図（球面収差（ａ）、非点収差（ｂ）、歪曲収差（ｃ））である。
【図１３】実施例５の撮像レンズの光軸方向断面図である。
【図１４】実施例５の収差図（球面収差（ａ）、非点収差（ｂ）、歪曲収差（ｃ））である。
【図１５】実施例６の撮像レンズの光軸方向断面図である。
【図１６】実施例６の収差図（球面収差（ａ）、非点収差（ｂ）、歪曲収差（ｃ））である。
【図１７】実施例７の撮像レンズの光軸方向断面図である。
【図１８】実施例７の収差図（球面収差（ａ）、非点収差（ｂ）、歪曲収差（ｃ））である。
【図１９】実施例８の撮像レンズの光軸方向断面図である。
【図２０】実施例８の収差図（球面収差（ａ）、非点収差（ｂ）、歪曲収差（ｃ））である。
【図２１】実施例９の撮像レンズの光軸方向断面図である。
【図２２】実施例９の収差図（球面収差（ａ）、非点収差（ｂ）、歪曲収差（ｃ））である。
【図２３】実施例１０の撮像レンズの光軸方向断面図である。
【図２４】実施例１０の収差図（球面収差（ａ）、非点収差（ｂ）、歪曲収差（ｃ））である。
【発明を実施するための形態】
【００４６】
以下、本発明の実施の形態を、図面を参照して説明する。図１は、本実施の形態にかかる撮像ユニット（撮像装置）５０の斜視図であり、図２は、撮像ユニット５０の撮像レンズの光軸に沿った断面を模式的に示した図である。
【００４７】
図１、２に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像レンズ１０を保持する鏡筒５３と、撮像レンズ１０と撮像素子５１の間に配置された平行平板状の光学フィルタ５４と、撮像レンズ１０を駆動するアクチュエータ５５と、撮像素子５１を実装した基板５２と、撮像レンズ１０及びアクチュエータ５５を保持する台座部材５７とを有する。
【００４８】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ５１ｂを介して基板５２に接続されている。撮像素子５１は、光電変換部５１ａからの信号電荷をデジタルＹＵＶ信号等の画像信号等に変換し、ワイヤ５１ｂを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００４９】
樹脂により一体成形された台座部材５７は、全体的に直方体の筐体状であり、撮像素子５１を囲うように設けられた４つの側壁部５７ａと、その上端に交差する上壁部５７ｂとを有する。上壁部５７ｂの中央には、矩形状の開口５７ｃが形成されており、かかる開口５７ｃを覆うようにして上壁部５７ｂに光学フィルタ５４が取り付けられている。基板５２は、その上面で撮像素子５１及び台座部材５７を支持している。
【００５０】
アクチュエータ５５は、鏡筒５３にねじ込まれた筒状のキャリヤ５５ａと、キャリヤ５５ａに取り付けられ光軸方向に延在するコイル５５ｂと、コイル５５ｂに対抗して配置された磁石５５ｃと、磁石５５ｃを支持した筐体状のヨーク５５ｄとからなっている。コイル５５ｂは、不図示の配線を介して外部回路に接続されている。ヨーク５５ｄの下端は、台座部材５７の上壁部５７ｂ上に接着されている。また、キャリヤ５５ａは不図示の弾性部材により撮像素子５１方向に付勢されている。
【００５１】
鏡筒５３の物体側に、小開口（ここでは開口絞り）Ｓが設けられたフランジ部５３ａが形成されている。開口絞りは、第１レンズＬ１と第２レンズＬ２との間に設けられても良い。又、ここでは、開口絞り以外に、軸外光線やレンズ間多重反射によるゴーストカットのための遮光絞りＳＨを、レンズ間に配置している。遮光絞りはレンズ間に配置するが、物体側に設けるほど、また複数のレンズ間に配置するほど遮光率を高めることができる。
【００５２】
鏡筒５３内に配置された撮像レンズ１０は、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなり、開口絞りＳが第１レンズＬ１の物体側、または像側に配置され、第６レンズＬ６の像側面は非球面形状であり、光軸との交点以外の位置に極値を有し、以下の条件式を満足する。
０．６６≦ＤＥＶ２Ｓ１／ＥＤｉａＳ１≦０．９７      （１）
０．４８＜ＤＥＶ１Ｓ２／ＥＤｉａＳ２＜０．９７      （２）
０．６０＜ｆ１×ｔａｎω／Ｙ＜０．９５      （３）
−０．６０＜ｆ６×ｔａｎω／Ｙ≦−０．４３      （４）
ただし、
ＤＥＶ２Ｓ１：第１レンズ物体側面サグ量の２回微分の値が有効径内で最大値となる位置の、光軸からの距離（ｍｍ）
ＥＤｉａＳ１：第１レンズＬ１物体側面の有効半径
ＤＥＶ１Ｓ２：第１レンズ像側面サグ量の１回微分の値が有効径内で最大値となる位置の、光軸からの距離（ｍｍ）
ＥＤｉａＳ２：第１レンズＬ１像側面の有効半径
ｆ１：第１レンズＬ１の焦点距離
ω：撮像レンズの最大画角（°）
Ｙ：撮像レンズの最大像高（ｍｍ）
ｆ６：第６レンズＬ６の焦点距離
【００５３】
各レンズのフランジ間、及び第６レンズＬ６とＩＲカットフィルタＦ間には、スペーサＳＰが配置されてなり、光軸間距離を適正に維持している。
【００５４】
上述した撮像ユニット５０の動作について説明する。図３は、撮像ユニット５０を携帯端末としてのスマートフォン１００に装備した状態を示す図である。また、図４はスマートフォン１００の制御ブロック図である。
【００５５】
撮像ユニット５０は、例えば、筐体５３の物体側端面がスマートフォン１００の背面（図３（ｂ）参照）に設けられ、タッチパネル７０の裏側に相当する位置に配設される。
【００５６】
撮像ユニット５０は、スマートフォン１００の制御部１０１と接続され、輝度信号や色差信号等の画像信号を制御部１０１側に出力する。
【００５７】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００５８】
スマートフォン１００は、入力キー部６０の操作によって動作し、タッチパネル（表示部）７０に表示されたアイコン７１等をタッチすることで、撮像ユニット５０を動作させて撮像を行うことができる。このとき、アクチュエータ５５を駆動することで、撮像レンズ１０とともに鏡筒５３を光軸方向に移動させフォーカシングを行うことができる。撮像ユニット５０から入力された画像信号は、制御部１０１で後述する画像処理を施され、上記スマートフォン１００の制御系により、記憶部９２に記憶されたり、或いはタッチパネル７０で表示され、さらには、無線通信部８０を介して映像情報として外部に送信される。
【００５９】
［実施例］
以下、本発明の撮像レンズの実施例を示す。各実施例に使用する記号は下記の通りである。
ｆ：撮像レンズ全系の焦点距離
ｆＢ：バックフォーカス
Ｆ：Ｆナンバー
２Ｙ：固体撮像素子の撮像面対角線長
ENTP：入射瞳位置（第１面から入射瞳位置までの距離）
EXTP：射出瞳位置（撮像面から射出瞳位置までの距離）
H1：前側主点位置（第１面から前側主点位置までの距離）
H2：後側主点位置（最終面から後側主点位置までの距離）
Ｒ：曲率半径
Ｄ：軸上面間隔
Ｎｄ：レンズ材料のｄ線に対する屈折率
νｄ：レンズ材料のｄ線に対するアッベ数
【００６０】
各実施例において、各面番号の後に「＊」が記載されている面が非球面形状を有する面であり、非球面の形状は、面の頂点を原点とし、光軸方向にＸ軸をとり（像側をプラス）、光軸と垂直方向の高さをｈとして以下の「数１」で表す。
【００６１】
【数１】
2014232147.tif 000003
ただし、
Ａｉ：ｉ次の非球面係数
Ｒ  ：曲率半径
Ｋ  ：円錐定数
【００６２】
なお、特許請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）
【００６３】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。
【００６４】
［表１］
実施例1
f=3.68mm    fB=0.3mm    F=1.86      2Y=6.142mm  
ENTP=0mm    EXTP=-2.26mm    H1=-1.62mm    H2=-3.38mm 
面番号  R(mm)   D(mm)   Nd         νd      有効半径(mm)    
1(絞り) ∞     -0.329                       0.99    
2*      1.574   0.547   1.54470     56.2    1.05    
3*     22.259   0.084                       1.05    
4*      9.865   0.150   1.63470     23.9    1.04    
5*      2.638   0.402                       0.99    
6*      8.320   0.429   1.54470     56.2    1.04    
7*    115.518   0.212                       1.16    
8*     58.683   0.261   1.63470     23.9    1.19    
9*      9.787   0.268                       1.37    
10*   -62.209   0.734   1.54470     56.2    1.45    
11*    -1.091   0.376                       1.70    
12*    -3.646   0.234   1.54470     56.2    2.37    
13*     1.273   0.493                       2.59    
14      ∞      0.110   1.51630     64.1    2.87    
15      ∞                                  2.90    
非球面係数    
第2面                      第8面       
K=  0.10282E+00             K=  0.00000E+00
A4= 0.50077E-02             A4= -0.14308E+00
A6= -0.16639E-04            A6= -0.24846E-01
A8= -0.75861E-02            A8= -0.53479E-02
A10= 0.14284E-01            A10= 0.48472E-02
A12= 0.80568E-02            A12= -0.72624E-03
A14= -0.17859E-01           A14= 0.00000E+00
第3面                      第9面       
K=  0.78869E+02             K=  -0.80000E+02
A3= 0.00000E+00             A3= 0.16404E-01
A4= 0.10225E-01             A4= -0.15977E+00
A5= 0.00000E+00             A5= 0.18467E-01
A6= 0.14362E-01             A6= 0.35902E-02
A8= 0.12681E-01             A8= -0.70663E-02
A10= -0.28880E-01           A10= 0.29704E-02
A12= -0.23698E-01           A12= -0.29238E-02
A14= 0.16254E-01            A14= 0.25366E-02
第4面                      第10面      
K=  -0.80000E+02            K=  0.80000E+02
A3= 0.00000E+00             A3= -0.51645E-01
A4= -0.30197E-01            A4= 0.53889E-01
A5= 0.00000E+00             A5= -0.11885E+00
A6= 0.12161E+00             A6= 0.92526E-02
A8= -0.51946E-01            A8= 0.29919E-01
A10= -0.50088E-01           A10= -0.13066E-01
A12= 0.55608E-02            A12= -0.58796E-02
A14= 0.27505E-01            A14= 0.34011E-02
第5面                      第11面      
K=  -0.16938E+02            K=  -0.63594E+01
A3= 0.00000E+00             A3= -0.11351E+00
A4= 0.69576E-01             A4= -0.32515E-01
A5= 0.00000E+00             A5= 0.18679E-01
A6= 0.52759E-01             A6= 0.18346E-01
A8= -0.53316E-02            A8= -0.99971E-02
A10= -0.13632E-01           A10= 0.19888E-02
A12= -0.22016E-01           A12= 0.10348E-02
A14= 0.53342E-01            A14= -0.32439E-03
第6面                      第12面      
K=  0.56320E+02             K=  -0.19161E+01
A3= -0.15394E-01            A3= -0.85741E-01
A4= -0.25711E-01            A4= 0.69095E-02
A5= -0.79268E-01            A5= 0.76892E-02
A6= 0.14590E-01             A6= 0.61694E-02
A8= 0.25814E-02             A8= -0.19138E-03
A10= -0.14865E-01           A10= -0.11753E-03
A12= -0.64426E-02           A12= 0.59722E-05
A14= -0.19014E-02           A14= 0.38901E-06
第7面                      第13面      
K=  0.00000E+00             K=  -0.87609E+01
A3= 0.00000E+00             A3= -0.93249E-01
A4= -0.70691E-01            A4= 0.24764E-01
A5= 0.00000E+00             A5= -0.39222E-04
A6= -0.50026E-01            A6= -0.13579E-02
A8= -0.23068E-02            A8= -0.27480E-03
A10= 0.13138E-01            A10= 0.71990E-04
A12= -0.15968E-01           A12= -0.75005E-05
A14= 0.00000E+00            A14= 0.55560E-06
単レンズデータ  
レンズ  始面    焦点距離(mm)  
1       2       3.080 
2       4      -5.718 
3       6       16.437  
4       8      -18.546  
5      10       2.030  
6      12      -1.703  
【００６５】
図５は実施例１の撮像レンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図６は実施例１の収差図（球面収差（ａ）、非点収差（ｂ）、歪曲収差（ｃ））である。ここで、球面収差図において、実線はｄ線、点線はｇ線に対する球面収差量、コマ収差量をそれぞれ表し、非点収差図において、実線Ｓはサジタル面、点線Ｍはメリディオナル面を表す（以下、同じ）。図６（ａ）に示す球面収差曲線が、入射瞳の近傍でマイナス側からプラス側に向かう方向に曲げられている。
【００６６】
（実施例２）
実施例２の撮像レンズのレンズデータを、表２に示す。
【００６７】
［表２］
実施例2 
f=3.68mm    fB=0.34mm    F=1.86      2Y=6.142mm 
ENTP=0mm    EXTP=-2.1mm    H1=-1.87mm    H2=-3.34mm 
面番号  R(mm)   D(mm)   Nd         νd      有効半径(mm)    
1(絞り) ∞     -0.361                       0.99    
2*      1.519   0.570   1.54470     56.2    1.05    
3*      41.936  0.084                       1.04    
4*      16.668  0.120   1.63470     23.9    1.02    
5*      2.684   0.443                       0.96    
6*      9.011   0.326   1.54470     56.2    1.03    
7*    281.394   0.348                       1.13    
8*     17.305   0.150   1.63470     23.9    1.24    
9*      7.857   0.251                       1.35    
10*   198.227   0.521   1.54470     56.2    1.45    
11*    -1.228   0.418                       1.67    
12*    -3.065   0.207   1.54470     56.2    2.26    
13*     1.480   0.452                       2.49    
14      ∞      0.110   1.51630     64.1    2.87    
15      ∞                                  2.90    
非球面係数 
第2面                      第8面       
K=  0.13458E+00             K=  0.00000E+00
A4= 0.62910E-02             A4= -0.14675E+00
A6= -0.17459E-02            A6= -0.72681E-03
A8= -0.73483E-02            A8= -0.88520E-02
A10= 0.16343E-01            A10= 0.36010E-02
A12= 0.10087E-01            A12= -0.93350E-03
A14= -0.17610E-01           A14= 0.00000E+00
第3面                      第9面       
K=  -0.70223E+02            K=  -0.79935E+02
A3= 0.00000E+00             A3= 0.18477E-01
A4= 0.16111E-01             A4= -0.18425E+00
A5= 0.00000E+00             A5= 0.11167E-01
A6= 0.70309E-02             A6= 0.82203E-02
A8= 0.22634E-01             A8= -0.47147E-02
A10= -0.25815E-01           A10= 0.18972E-02
A12= -0.27058E-01           A12= -0.33738E-02
A14= 0.16068E-01            A14= 0.29802E-02
第4面                      第10面      
K=  0.79230E+02             K=  -0.65134E+02
A3= 0.00000E+00             A3= -0.14360E-01
A4= -0.28581E-01            A4= 0.30009E-01
A5= 0.00000E+00             A5= -0.13197E+00
A6= 0.12542E+00             A6= 0.11825E-01
A8= -0.59868E-01            A8= 0.32590E-01
A10= -0.50284E-01           A10= -0.11994E-01
A12= 0.45973E-02            A12= -0.57726E-02
A14= 0.27386E-01            A14= 0.29475E-02
第5面                      第11面      
K=  -0.16979E+02            K=  -0.96496E+01
A3= 0.00000E+00             A3= -0.13250E+00
A4= 0.85069E-01             A4= -0.17727E-01
A5= 0.00000E+00             A5= 0.29100E-01
A6= 0.72788E-01             A6= 0.16100E-01
A8= -0.99495E-02            A8= -0.12032E-01
A10= -0.24829E-01           A10= 0.22035E-02
A12= -0.26857E-01           A12= 0.10920E-02
A14= 0.76389E-01            A14= -0.34305E-03
第6面                      第12面      
K=  0.70628E+02             K=  -0.44951E+01
A3= -0.17391E-01            A3= -0.10136E+00
A4= -0.33610E-01            A4= 0.97213E-02
A5= -0.10890E+00            A5= 0.85886E-02
A6= 0.79275E-02             A6= 0.61274E-02
A8= 0.36782E-01             A8= -0.27440E-03
A10= -0.25640E-01           A10= -0.13121E-03
A12= -0.44346E-01           A12= 0.64386E-05
A14= 0.20860E-01            A14= 0.67637E-06
第7面                      第13面      
K=  0.00000E+00             K=  -0.12503E+02
A3= 0.00000E+00             A3= -0.83766E-01
A4= -0.73593E-01            A4= 0.18678E-01
A5= 0.00000E+00             A5= -0.64612E-03
A6= -0.64082E-01            A6= -0.12122E-02
A8= 0.60494E-02             A8= -0.35321E-03
A10= 0.19396E-01            A10= 0.47555E-04
A12= -0.24120E-01           A12= -0.94312E-05
A14= 0.00000E+00            A14= 0.13698E-05
単レンズデータ  
レンズ  始面    焦点距離(mm)  
1       2       2.879   
2       4      -5.058 
3       6       17.083 
4       8      -22.816 
5      10       2.243  
6      12      -1.804 
【００６８】
図７は実施例２のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図８は実施例２の収差図（球面収差（ａ）、非点収差（ｂ）、歪曲収差（ｃ））である。図８（ａ）に示す球面収差曲線が、入射瞳の近傍でマイナス側からプラス側に向かう方向に曲げられている。
【００６９】
（実施例３）
実施例３の撮像レンズのレンズデータを、表３に示す。
【００７０】
［表３］
実施例3 
f=3.68mm    fB=0.32mm    F=1.86      2Y=6.142mm  
ENTP=0.47mm    EXTP=-2.08mm    H1=-1.49mm    H2=-3.36mm  
面番号  R(mm)   D(mm)   Nd         νd     有効半径(mm)    
1       ∞      0.000                       1.40    
2       ∞      0.000                       1.40    
3*      1.546   0.619   1.54470     56.2    1.08    
4(絞り) 38.590  0.084                       0.93    
5*      60.690  0.120   1.63470     23.9    0.94    
6*      3.238   0.376                       0.92    
7*      7.964   0.321   1.54470     56.2    0.99    
8*     39.726   0.245                       1.09    
9*     14.013   0.274   1.63470     23.9    1.16    
10*     7.304   0.338                       1.36    
11*  -398.762   0.583   1.54470     56.2    1.49    
12*   -1.093    0.336                       1.68    
13*   -3.532    0.210   1.54470     56.2    2.34    
14*    1.205    0.485                       2.52    
15     ∞       0.110   1.51630     64.1    2.87    
16     ∞                                   2.91    
非球面係数  
第3面                      第9面       
K=  0.18852E-01             K=  0.00000E+00
A4= 0.22326E-02             A4= -0.16552E+00
A6= 0.16783E-02             A6= 0.31360E-01
A8= -0.19781E-01            A8= -0.19473E-01
A10= 0.58555E-02            A10= -0.93824E-02
A12= 0.11470E-01            A12= -0.27285E-02
A14= -0.18146E-01           A14= 0.00000E+00
第4面                      第10面      
K=  0.29186E+01             K=  -0.80000E+02
A3= 0.00000E+00             A3= 0.11477E-01
A4= -0.73300E-02            A4= -0.17490E+00
A5= 0.00000E+00             A5= 0.30811E-01
A6= -0.90843E-02            A6= 0.13361E-01
A8= 0.17414E-01             A8= -0.91540E-02
A10= -0.15740E-01           A10= 0.23339E-03
A12= -0.18982E-01           A12= -0.34299E-02
A14= 0.10682E-01            A14= 0.29946E-02
第5面                      第11面      
K=  0.79417E+02             K=  -0.80000E+02
A3= 0.00000E+00             A3= -0.12984E-01
A4= -0.24623E-01            A4= 0.33037E-01
A5= 0.00000E+00             A5= -0.12790E+00
A6= 0.12497E+00             A6= 0.11674E-01
A8= -0.51005E-01            A8= 0.28497E-01
A10= -0.13812E-01           A10= -0.12669E-01
A12= 0.10801E-01            A12= -0.53121E-02
A14= 0.14382E-01            A14= 0.30616E-02
第6面                      第12面      
K=  -0.18959E+02            K=  -0.77695E+01
A3= 0.00000E+00             A3= -0.98404E-01
A4= 0.67447E-01             A4= -0.32476E-01
A5= 0.00000E+00             A5= 0.28251E-01
A6= 0.69216E-01             A6= 0.11082E-01
A8= 0.22643E-01             A8= -0.13169E-01
A10= -0.13124E-01           A10= 0.22979E-02
A12= -0.50987E-01           A12= 0.12251E-02
A14= 0.78786E-01            A14= -0.33539E-03
第7面                      第13面      
K=  0.60180E+02             K=  -0.20965E+01
A3= -0.12750E-01            A3= -0.93907E-01
A4= -0.21695E-01            A4= 0.76395E-02
A5= -0.12511E+00            A5= 0.82751E-02
A6= 0.81387E-02             A6= 0.63567E-02
A8= 0.39715E-01             A8= -0.18912E-03
A10= -0.34249E-01           A10= -0.11858E-03
A12= -0.51048E-01           A12= 0.66095E-05
A14= 0.14490E-01            A14= 0.32040E-06
第8面                      第14面      
K=  0.00000E+00             K=  -0.99912E+01
A3= 0.00000E+00             A3= -0.96174E-01
A4= -0.71720E-01            A4= 0.28918E-01
A5= 0.00000E+00             A5= -0.11561E-02
A6= -0.55914E-01            A6= -0.21909E-02
A8= -0.52700E-02            A8= -0.32720E-03
A10= 0.14505E-01            A10= 0.68600E-04
A12= -0.29739E-01           A12= -0.70993E-05
A14= 0.00000E+00            A14= 0.10156E-05
単レンズデータ 
レンズ  始面    焦点距離(mm) 
1       3       2.940  
2       5      -5.393 
3       7       18.223 
4       9      -24.422  
5      11       2.012 
6      13      -1.624 
【００７１】
図９は実施例３のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の像側（レンズＬ１，Ｌ２の間）に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図１０は実施例３の収差図（球面収差（ａ）、非点収差（ｂ）、歪曲収差（ｃ））である。図１０（ａ）に示す球面収差曲線が、入射瞳の近傍でマイナス側からプラス側に向かう方向に曲げられている。
【００７２】
（実施例４）
実施例４の撮像レンズのレンズデータを、表４に示す。
【００７３】
［表４］
実施例4 
f=3.68mm    fB=0.32mm    F=1.86      2Y=6.142mm  
ENTP=0mm    EXTP=-2.17mm    H1=-1.75mm    H2=-3.36mm  
面番号  R(mm)   D(mm)   Nd         νd      有効半径(mm)    
1(絞り) ∞      -0.345                      0.99    
2*      1.551   0.557   1.54470     56.2    1.06    
3*      26.414  0.084                       1.05    
4*      16.422  0.120   1.63470     23.9    1.04    
5*      2.781   0.427                       0.98    
6*      8.924   0.433   1.54470     56.2    1.04    
7*    -47.686   0.316                       1.17    
8*     21.451   0.164   1.63470     23.9    1.25    
9*      7.474   0.248                       1.37    
10*   203.540   0.605   1.54470     56.2    1.47    
11*    -1.160   0.396                       1.68    
12*    -3.397   0.213   1.54470     56.2    2.34    
13*     1.338   0.477                       2.55    
14      ∞      0.110   1.51630     64.1    2.87    
15      ∞                                  2.90    
非球面係数 
第2面                      第8面       
K=  0.13733E+00             K=  0.00000E+00
A4= 0.61388E-02             A4= -0.15180E+00
A6= -0.67735E-03            A6= -0.84027E-02
A8= -0.78506E-02            A8= -0.84774E-02
A10= 0.15379E-01            A10= 0.38115E-02
A12= 0.93740E-02            A12= 0.73116E-03
A14= -0.17917E-01           A14= 0.00000E+00
第3面                      第9面       
K=  0.31538E+02             K=  -0.79980E+02
A3= 0.00000E+00             A3= 0.17293E-01
A4= 0.14588E-01             A4= -0.17965E+00
A5= 0.00000E+00             A5= 0.11478E-01
A6= 0.87405E-02             A6= 0.58607E-02
A8= 0.19631E-01             A8= -0.45592E-02
A10= -0.29532E-01           A10= 0.28297E-02
A12= -0.23970E-01           A12= -0.31881E-02
A14= 0.16068E-01            A14= 0.25841E-02
第4面                      第10面      
K=  0.67245E+02             K=  -0.80000E+02
A3= 0.00000E+00             A3= -0.24411E-01
A4= -0.31072E-01            A4= 0.30927E-01
A5= 0.00000E+00             A5= -0.13250E+00
A6= 0.12501E+00             A6= 0.15136E-01
A8= -0.55849E-01            A8= 0.32453E-01
A10= -0.49096E-01           A10= -0.12261E-01
A12= 0.52772E-02            A12= -0.57953E-02
A14= 0.27386E-01            A14= 0.30428E-02
第5面                      第11面      
K=  -0.17965E+02            K=  -0.80983E+01
A3= 0.00000E+00             A3= -0.12790E+00
A4= 0.75665E-01             A4= -0.23244E-01
A5= 0.00000E+00             A5= 0.22729E-01
A6= 0.64030E-01             A6= 0.15416E-01
A8= -0.48273E-02            A8= -0.10671E-01
A10= -0.19757E-01           A10= 0.23028E-02
A12= -0.24612E-01           A12= 0.10996E-02
A14= 0.63554E-01            A14= -0.35605E-03
第6面                      第12面      
K=  0.67713E+02             K=  -0.32380E+01
A3= -0.20267E-01            A3= -0.98964E-01
A4= -0.17598E-01            A4= 0.94302E-02
A5= -0.10062E+00            A5= 0.87681E-02
A6= 0.37135E-02             A6= 0.63041E-02
A8= 0.26210E-01             A8= -0.22987E-03
A10= -0.17855E-01           A10= -0.12474E-03
A12= -0.29299E-01           A12= 0.65452E-05
A14= 0.84087E-02            A14= 0.43353E-06
第7面                      第13面      
K=  0.00000E+00             K=  -0.10460E+02
A3= 0.00000E+00             A3= -0.84233E-01
A4= -0.62531E-01            A4= 0.19913E-01
A5= 0.00000E+00             A5= -0.53237E-03
A6= -0.58541E-01            A6= -0.93664E-03
A8= 0.11324E-02             A8= -0.26170E-03
A10= 0.18236E-01            A10= 0.64668E-04
A12= -0.17904E-01           A12= -0.95128E-05
A14= 0.00000E+00            A14= 0.96407E-06
単レンズデータ 
レンズ  始面    焦点距離(mm)  
1       2       3.001 
2       4      -5.293  
3       6      13.838  
4       8     -18.157  
5      10       2.120  
6      12      -1.734  
【００７４】
図１１は実施例４のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図１２は実施例４の収差図（球面収差（ａ）、非点収差（ｂ）、歪曲収差（ｃ））である。図１２（ａ）に示す球面収差曲線が、入射瞳の近傍でマイナス側からプラス側に向かう方向に曲げられている。
【００７５】
（実施例５）
実施例５の撮像レンズのレンズデータを、表５に示す。
【００７６】
［表５］
実施例5 
f=3.47mm    fB=0.28mm    F=1.86      2Y=6.142mm  
ENTP=0mm    EXTP=-2.16mm    H1=-1.46mm    H2=-3.19mm  
面番号  R(mm)   D(mm)   Nd         νd      有効半径(mm)    
1(絞り) ∞     -0.313                       0.93    
2*      1.501   0.521   1.54470     56.2    0.99    
3*     36.341   0.091                       0.99    
4*     20.846   0.120   1.63470     23.9    0.98    
5*      2.735   0.388                       0.94    
6*      9.199   0.379   1.54470     56.2    1.00    
7*    -25.757   0.364                       1.11    
8*      9.235   0.150   1.63470     23.9    1.22    
9*      6.434   0.321                       1.31    
10*   -98.133   0.470   1.54470     56.2    1.38    
11*    -1.099   0.304                       1.63    
12*    -4.552   0.208   1.54470     56.2    2.10    
13*     1.143   0.493                       2.41    
14      ∞      0.110   1.51630     64.1    2.85    
15      ∞                                  2.88    
非球面係数  
第2面                      第8面       
K=  0.95425E-01             K=  0.00000E+00
A4= 0.70806E-02             A4= -0.14859E+00
A6= 0.10473E-02             A6= -0.22959E-03
A8= -0.39781E-02            A8= -0.52870E-02
A10= 0.13342E-01            A10= 0.19865E-02
A12= 0.86437E-02            A12= -0.82996E-03
A14= -0.17917E-01           A14= 0.00000E+00
第3面                      第9面       
K=  0.74472E+02             K=  -0.80000E+02
A3= 0.00000E+00             A3= 0.25924E-01
A4= 0.17969E-01             A4= -0.18559E+00
A5= 0.00000E+00             A5= 0.12763E-01
A6= -0.27497E-02            A6= 0.51073E-02
A8= 0.29712E-01             A8= -0.52611E-02
A10= -0.23273E-01           A10= 0.35008E-02
A12= -0.32870E-01           A12= -0.26348E-02
A14= 0.16068E-01            A14= 0.27702E-02
第4面                      第10面      
K=  -0.60153E+02            K=  -0.80000E+02
A3= 0.00000E+00             A3= -0.33695E-01
A4= -0.35699E-01            A4= 0.42713E-01
A5= 0.00000E+00             A5= -0.14388E+00
A6= 0.14004E+00             A6= 0.65995E-02
A8= -0.65472E-01            A8= 0.31666E-01
A10= -0.53805E-01           A10= -0.12191E-01
A12= 0.85176E-02            A12= -0.58282E-02
A14= 0.27386E-01            A14= 0.30420E-02
第5面                      第11面      
K=  -0.17945E+02            K=  -0.82819E+01
A3= 0.00000E+00             A3= -0.10949E+00
A4= 0.78322E-01             A4= -0.23177E-01
A5= 0.00000E+00             A5= 0.25660E-01
A6= 0.74463E-01             A6= 0.16367E-01
A8= 0.77343E-02             A8= -0.10712E-01
A10= -0.30846E-01           A10= 0.23074E-02
A12= -0.29489E-01           A12= 0.10687E-02
A14= 0.78131E-01            A14= -0.38017E-03
第6面                      第12面      
K=  0.76070E+02             K=  -0.25127E+01
A3= -0.20838E-01            A3= -0.11439E+00
A4= -0.19970E-01            A4= 0.11123E-01
A5= -0.10715E+00            A5= 0.90393E-02
A6= 0.77937E-02             A6= 0.63048E-02
A8= 0.35143E-01             A8= -0.26292E-03
A10= -0.27560E-01           A10= -0.13415E-03
A12= -0.43418E-01           A12= 0.50838E-05
A14= 0.22228E-01            A14= 0.40729E-06
第7面                      第13面      
K=  0.00000E+00             K=  -0.87654E+01
A3= 0.00000E+00             A3= -0.88181E-01
A4= -0.67685E-01            A4= 0.89207E-02
A5= 0.00000E+00             A5= 0.63151E-02
A6= -0.57852E-01            A6= -0.36751E-02
A8= 0.93175E-03             A8= -0.73234E-04
A10= 0.17587E-01            A10= 0.49685E-04
A12= -0.23033E-01           A12= -0.12207E-04
A14= 0.00000E+00            A14= 0.88568E-06
単レンズデータ 
レンズ  始面    焦点距離(mm) 
1       2       2.860 
2       4      -4.972 
3       6       12.492  
4       8      -34.135 
5      10       2.037 
6      12      -1.656 
【００７７】
図１３は実施例５のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図１４は実施例５の収差図（球面収差（ａ）、非点収差（ｂ）、歪曲収差（ｃ））である。図１４（ａ）に示す球面収差曲線が、入射瞳の近傍でマイナス側からプラス側に向かう方向に曲げられている。
【００７８】
（実施例６）
実施例６の撮像レンズのレンズデータを、表６に示す。
【００７９】
［表６］
実施例6 
f=3.45mm    fB=0.27mm    F=1.86      2Y=6.142mm 
ENTP=0mm    EXTP=-2.15mm    H1=-1.45mm    H2=-3.17mm 
面番号  R(mm)   D(mm)   Nd         νd      有効半径(mm)    
1(絞り) ∞     -0.311                       0.93    
2*      1.493   0.517   1.54470     56.2    0.99    
3*     34.150   0.090                       0.98    
4*     20.228   0.120   1.63470     23.9    0.97    
5*      2.716   0.385                       0.93    
6*      9.156   0.376   1.54470     56.2    0.99    
7*    -25.371   0.367                       1.11    
8*      8.605   0.150   1.63470     23.9    1.22    
9*      6.319   0.329                       1.31    
10*   -120.861  0.463   1.54470     56.2    1.38    
11*    -1.094   0.293                       1.64    
12*    -4.786   0.208   1.54470     56.2    2.10    
13*     1.114   0.496                       2.41    
14      ∞      0.110   1.51630     64.1    2.86    
15      ∞                                  2.90    
非球面係数 
第2面                      第8面       
K=  0.97990E-01             K=  0.00000E+00
A4= 0.69458E-02             A4= -0.14880E+00
A6= 0.13766E-02             A6= -0.50318E-03
A8= -0.34488E-02            A8= -0.52164E-02
A10= 0.13637E-01            A10= 0.17903E-02
A12= 0.78760E-02            A12= -0.11172E-02
A14= -0.17917E-01           A14= 0.00000E+00
第3面                      第9面       
K=  0.46262E+02             K=  -0.80000E+02
A3= 0.00000E+00             A3= 0.26523E-01
A4= 0.18373E-01             A4= -0.18651E+00
A5= 0.00000E+00             A5= 0.13029E-01
A6= -0.29656E-02            A6= 0.51455E-02
A8= 0.29839E-01             A8= -0.54047E-02
A10= -0.23936E-01           A10= 0.34941E-02
A12= -0.32443E-01           A12= -0.25695E-02
A14= 0.16068E-01            A14= 0.28387E-02
第4面                      第10面      
K=  -0.73084E+02            K=  -0.80000E+02
A3= 0.00000E+00             A3= -0.38131E-01
A4= -0.35990E-01            A4= 0.45430E-01
A5= 0.00000E+00             A5= -0.14441E+00
A6= 0.14005E+00             A6= 0.54393E-02
A8= -0.65174E-01            A8= 0.31548E-01
A10= -0.52780E-01           A10= -0.12043E-01
A12= 0.80866E-02            A12= -0.57432E-02
A14= 0.27386E-01            A14= 0.30521E-02
第5面                      第11面      
K=  -0.17931E+02            K=  -0.82022E+01
A3= 0.00000E+00             A3= -0.10541E+00
A4= 0.78862E-01             A4= -0.23899E-01
A5= 0.00000E+00             A5= 0.25874E-01
A6= 0.75843E-01             A6= 0.16266E-01
A8= 0.93697E-02             A8= -0.10680E-01
A10= -0.29904E-01           A10= 0.22645E-02
A12= -0.29121E-01           A12= 0.10673E-02
A14= 0.79720E-01            A14= -0.37441E-03
第6面                      第12面      
K=  0.77227E+02             K=  -0.27220E+01
A3= -0.20814E-01            A3= -0.11954E+00
A4= -0.20634E-01            A4= 0.11518E-01
A5= -0.10772E+00            A5= 0.92409E-02
A6= 0.81305E-02             A6= 0.63952E-02
A8= 0.35253E-01             A8= -0.25230E-03
A10= -0.28552E-01           A10= -0.13368E-03
A12= -0.44540E-01           A12= 0.48361E-05
A14=  0.23259E-01           A14= 0.29805E-06
第7面                      第13面      
K=  0.00000E+00             K=  -0.86948E+01
A3= 0.00000E+00             A3= -0.86540E-01
A4= -0.68513E-01            A4= 0.61201E-02
A5= 0.00000E+00             A5= 0.69585E-02
A6= -0.58250E-01            A6= -0.35572E-02
A8= 0.73724E-03             A8= -0.76633E-04
A10= 0.17559E-01            A10= 0.48484E-04
A12= -0.23734E-01           A12= -0.12550E-04
A14= 0.00000E+00            A14= 0.86667E-06
単レンズデータ 
レンズ  始面    焦点距離(mm)  
1       2       2.851  
2       4      -4.957  
3       6       12.399  
4       8      -38.458 
5      10       2.024  
6      12      -1.638  
【００８０】
図１５は実施例６のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図１６は実施例６の収差図（球面収差（ａ）、非点収差（ｂ）、歪曲収差（ｃ））である。図１６（ａ）に示す球面収差曲線が、入射瞳の近傍でマイナス側からプラス側に向かう方向に曲げられている。
【００８１】
（実施例７）
実施例７の撮像レンズのレンズデータを、表７に示す。
【００８２】
［表７］
実施例7  
f=3.47mm    fB=0.29mm    F=1.86      2Y=6.142mm 
ENTP=0mm    EXTP=-2.15mm    H1=-1.46mm    H2=-3.18mm 
面番号  R(mm)   D(mm)   Nd         νd      有効半径(mm)    
1(絞り) ∞     -0.306                       0.93    
2*      1.522   0.517   1.54470     56.2    1.00    
3*     21.243   0.090                       1.00    
4*     11.286   0.120   1.63470     23.9    0.99    
5*      2.628   0.407                       0.95    
6*      9.185   0.387   1.54470     56.2    1.02    
7*   -149.997   0.315                       1.14    
8*     15.787   0.142   1.63470     23.9    1.23    
9*      5.336   0.207                       1.35    
10*     8.259   0.547   1.54470     56.2    1.46    
11*    -1.406   0.494                       1.66    
12*    -3.050   0.205   1.54470     56.2    2.25    
13*     1.796   0.430                       2.49    
14      ∞      0.110   1.51630     64.1    2.86    
15      ∞                                  2.90    
非球面係数  
第2面                      第8面       
K=  0.14286E+00             K=  0.00000E+00
A4= 0.64703E-02             A4= -0.14198E+00
A6= -0.31132E-02            A6= -0.44181E-03
A8= -0.36242E-02            A8= -0.10058E-01
A10= 0.17444E-01            A10= 0.25865E-02
A12= 0.88412E-02            A12= -0.13561E-02
A14= -0.22560E-01           A14= 0.00000E+00
第3面                      第9面       
K=  0.77997E+02             K=  -0.79331E+02
A3= 0.00000E+00             A3= 0.26569E-01
A4= 0.17928E-01             A4= -0.18587E+00
A5= 0.00000E+00             A5= 0.12085E-01
A6= -0.39110E-02            A6= 0.93590E-02
A8= 0.24746E-01             A8= -0.43152E-02
A10= -0.23231E-01           A10= 0.19059E-02
A12= -0.27480E-01           A12= -0.34880E-02
A14= 0.91364E-02            A14= 0.28555E-02
第4面                      第10面      
K=  0.56093E+02             K=  0.18459E+02
A3= 0.00000E+00             A3= -0.51780E-01
A4= -0.30996E-01            A4= 0.35135E-01
A5= 0.00000E+00             A5= -0.13208E+00
A6= 0.12609E+00             A6= 0.11649E-01
A8= -0.69374E-01            A8= 0.33024E-01
A10= -0.55545E-01           A10= -0.11816E-01
A12= 0.58855E-02            A12= -0.57577E-02
A14= 0.31866E-01            A14= 0.29070E-02
第5面                      第11面      
K=  -0.14031E+02            K=  -0.11086E+02
A3= 0.00000E+00             A3= -0.13783E+00
A4= 0.83135E-01             A4= -0.19567E-01
A5= 0.00000E+00             A5= 0.29843E-01
A6= 0.72842E-01             A6= 0.16783E-01
A8= -0.58752E-02            A8= -0.11906E-01
A10= -0.26885E-01           A10= 0.22006E-02
A12= -0.33395E-01           A12= 0.10753E-02
A14= 0.79587E-01            A14= -0.35625E-03
第6面                      第12面      
K=  0.75950E+02             K=  -0.41636E+01
A3= -0.18572E-01            A3= -0.10260E+00
A4= -0.21489E-01            A4= 0.95403E-02
A5= -0.10657E+00            A5= 0.85644E-02
A6= 0.50893E-02             A6= 0.61349E-02
A8= 0.37428E-01             A8= -0.26832E-03
A10= -0.18955E-01           A10= -0.12959E-03
A12= -0.41460E-01           A12= 0.66800E-05
A14= 0.17560E-01            A14= 0.64380E-06
第7面                      第13面      
K=  0.00000E+00             K=  -0.11508E+02
A3= 0.00000E+00             A3= -0.83789E-01
A4= -0.59041E-01            A4= 0.18461E-01
A5= 0.00000E+00             A5= -0.65289E-03
A6= -0.69263E-01            A6= -0.12049E-02
A8= 0.40880E-02             A8= -0.35094E-03
A10= 0.20695E-01            A10= 0.47951E-04
A12= -0.22196E-01           A12= -0.93767E-05
A14= 0.00000E+00            A14= 0.13762E-05
単レンズデータ 
レンズ  始面    焦点距離(mm)  
1       2       2.982  
2       4      -5.427 
3       6       15.903 
4       8      -12.766  
5      10       2.250 
6      12      -2.045 
【００８３】
図１７は実施例７のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図１８は実施例７の収差図（球面収差（ａ）、非点収差（ｂ）、歪曲収差（ｃ））である。図１８（ａ）に示す球面収差曲線が、入射瞳の近傍でマイナス側からプラス側に向かう方向に曲げられている。
【００８４】
（実施例８）
実施例８の撮像レンズのレンズデータを、表８に示す。
【００８５】
［表８］
実施例8 
f=3.47mm    fB=0.29mm    F=1.86      2Y=6.142mm 
ENTP=0mm    EXTP=-2.15mm    H1=-1.46mm    H2=-3.18mm  
面番号  R(mm)   D(mm)   Nd         νd      有効半径(mm)    
1(絞り) ∞     -0.306                       0.93    
2*      1.522   0.517   1.54470     56.2    1.00    
3*      21.230  0.090                       1.00    
4*      11.282  0.120   1.63470     23.9    0.99    
5*      2.628   0.407                       0.95    
6*      9.184   0.387   1.54470     56.2    1.02    
7*   -149.803   0.315                       1.14    
8*     15.792   0.142   1.63470     23.9    1.23    
9*      5.336   0.207                       1.35    
10*     8.259   0.547   1.54470     56.2    1.46    
11*    -1.405   0.494                       1.65    
12*    -3.050   0.205   1.54470     56.2    2.24    
13*     1.796   0.430                       2.48    
14      ∞      0.110   1.51630     64.1    2.86    
15      ∞                                  2.90    
非球面係数  
第2面                      第8面       
K=  0.14286E+00             K=  0.00000E+00
A4= 0.64685E-02             A4= -0.14197E+00
A6= -0.31130E-02            A6= -0.44007E-03
A8= -0.36237E-02            A8= -0.10057E-01
A10= 0.17445E-01            A10= 0.25871E-02
A12= 0.88417E-02            A12= -0.13557E-02
A14= -0.22560E-01           A14= 0.00000E+00
第3面                      第9面       
K=  0.77826E+02             K=  -0.79333E+02
A3= 0.00000E+00             A3= 0.26567E-01
A4= 0.17925E-01             A4= -0.18588E+00
A5= 0.00000E+00             A5= 0.12084E-01
A6= -0.39135E-02            A6= 0.93587E-02
A8= 0.24744E-01             A8= -0.43153E-02
A10= -0.23232E-01           A10= 0.19058E-02
A12= -0.27481E-01           A12= -0.34880E-02
A14= 0.91360E-02            A14= 0.28555E-02
第4面                      第10面      
K=  0.56108E+02             K=  0.18459E+02
A3= 0.00000E+00             A3= -0.51779E-01
A4= -0.30992E-01            A4= 0.35134E-01
A5= 0.00000E+00             A5= -0.13208E+00
A6= 0.12609E+00             A6= 0.11649E-01
A8= -0.69373E-01            A8= 0.33024E-01
A10= -0.55544E-01           A10= -0.11816E-01
A12= 0.58858E-02            A12= -0.57577E-02
A14= 0.31866E-01            A14= 0.29070E-02
第5面                      第11面      
K=  -0.14026E+02            K=  -0.11084E+02
A3= 0.00000E+00             A3= -0.13784E+00
A4= 0.83127E-01             A4= -0.19569E-01
A5= 0.00000E+00             A5= 0.29842E-01
A6= 0.72834E-01             A6= 0.16782E-01
A8= -0.58790E-02            A8= -0.11906E-01
A10= -0.26887E-01           A10= 0.22006E-02
A12= -0.33396E-01           A12= 0.10753E-02
A14= 0.79587E-01            A14= -0.35625E-03
第6面                      第12面      
K=  0.75953E+02             K=  -0.41638E+01
A3= -0.18567E-01            A3= -0.10260E+00
A4= -0.21489E-01            A4= 0.95406E-02
A5= -0.10657E+00            A5= 0.85645E-02
A6= 0.50853E-02             A6= 0.61350E-02
A8= 0.37424E-01             A8= -0.26831E-03
A10= -0.18955E-01           A10= -0.12959E-03
A12= -0.41456E-01           A12= 0.66803E-05
A14= 0.17568E-01            A14= 0.64384E-06
第7面                      第13面      
K=  0.00000E+00             K=  -0.11511E+02
A3= 0.00000E+00             A3= -0.83790E-01
A4= -0.59044E-01            A4= 0.18461E-01
A5= 0.00000E+00             A5= -0.65300E-03
A6= -0.69264E-01            A6= -0.12049E-02
A8= 0.40873E-02             A8= -0.35094E-03
A10= 0.20695E-01            A10= 0.47950E-04
A12= -0.22194E-01           A12= -0.93769E-05
A14= 0.00000E+00            A14= 0.13762E-05
単レンズデータ 
レンズ  始面    焦点距離(mm) 
1       2       2.983 
2       4      -5.428 
3       6       15.901  
4       8      -12.765  
5      10       2.250 
6      12      -2.045 
【００８６】
図１９は実施例８のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図２０は実施例８の収差図（球面収差（ａ）、非点収差（ｂ）、歪曲収差（ｃ））である。図２０（ａ）に示す球面収差曲線が、入射瞳の近傍でマイナス側からプラス側に向かう方向に曲げられている。
【００８７】
（実施例９）
実施例９の撮像レンズのレンズデータを、表９に示す。
【００８８】
［表９］
実施例9  
f=3.48mm    fB=0.31mm    F=1.86      2Y=6.142mm 
ENTP=0mm    EXTP=-2.15mm    H1=-1.46mm    H2=-3.17mm  
面番号  R(mm)   D(mm)   Nd         νd      有効半径(mm)    
1(絞り) ∞     -0.316                       0.93    
2*      1.517   0.512   1.54470     56.2    1.00    
3*     17.413   0.086                       0.99    
4*     11.465   0.120   1.63470     23.9    0.98    
5*      2.697   0.403                       0.95    
6*      9.075   0.371   1.54470     56.2    1.02    
7*    -91.487   0.322                       1.13    
8*     19.647   0.150   1.63470     23.9    1.22    
9*      5.908   0.216                       1.35    
10*     9.512   0.545   1.54470     56.2    1.46    
11*    -1.340   0.456                       1.66    
12*    -3.104   0.209   1.54470     56.2    2.26    
13*     1.670   0.450                       2.50    
14      ∞      0.110   1.51630     64.1    2.87    
15      ∞                                  2.90    
非球面係数  
第2面                      第8面       
K=  0.14536E+00             K=  0.00000E+00
A4= 0.66939E-02             A4= -0.14374E+00
A6= -0.63672E-03            A6= -0.14520E-02
A8= -0.50542E-02            A8= -0.10414E-01
A10= 0.15850E-01            A10= 0.25054E-02
A12= 0.87889E-02            A12= -0.14428E-02
A14= -0.19679E-01           A14= 0.00000E+00
第3面                      第9面       
K=  0.38699E+02             K=  -0.80000E+02
A3= 0.00000E+00             A3= 0.23524E-01
A4= 0.16198E-01             A4= -0.18514E+00
A5= 0.00000E+00             A5= 0.11615E-01
A6= -0.18974E-03            A6= 0.89849E-02
A8= 0.23327E-01             A8= -0.42709E-02
A10= -0.23095E-01           A10= 0.20359E-02
A12= -0.28262E-01           A12= -0.33742E-02
A14= 0.11295E-01            A14= 0.29387E-02
第4面                      第10面      
K=  0.63918E+02             K=  0.16720E+02
A3= 0.00000E+00             A3= -0.38780E-01
A4= -0.29112E-01            A4= 0.31241E-01
A5= 0.00000E+00             A5= -0.13191E+00
A6= 0.12439E+00             A6= 0.12043E-01
A8= -0.65624E-01            A8= 0.32966E-01
A10= -0.54965E-01           A10= -0.11867E-01
A12= 0.47399E-02            A12= -0.57532E-02
A14= 0.29779E-01            A14= 0.29312E-02
第5面                      第11面      
K=  -0.14554E+02            K=  -0.10478E+02
A3= 0.00000E+00             A3= -0.13530E+00
A4= 0.84650E-01             A4= -0.18470E-01
A5= 0.00000E+00             A5= 0.29559E-01
A6= 0.73784E-01             A6= 0.16461E-01
A8= -0.56923E-02            A8= -0.11991E-01
A10= -0.23613E-01           A10= 0.21847E-02
A12= -0.29866E-01           A12= 0.10743E-02
A14= 0.74674E-01            A14= -0.35420E-03
第6面                      第12面      
K=  0.74415E+02             K=  -0.42628E+01
A3= -0.16178E-01            A3= -0.10206E+00
A4= -0.26099E-01            A4= 0.96090E-02
A5= -0.10600E+00            A5= 0.85789E-02
A6= 0.80690E-02             A6= 0.61361E-02
A8= 0.36793E-01             A8= -0.26957E-03
A10= -0.24615E-01           A10= -0.12999E-03
A12= -0.43775E-01           A12= 0.66178E-05
A14= 0.23351E-01            A14= 0.65757E-06
第7面                      第13面      
K=  0.00000E+00             K=  -0.11394E+02
A3= 0.00000E+00             A3= -0.82809E-01
A4= -0.64218E-01            A4= 0.18770E-01
A5= 0.00000E+00             A5= -0.63303E-03
A6= -0.67752E-01            A6= -0.12127E-02
A8= 0.34047E-02             A8= -0.35292E-03
A10= 0.19102E-01            A10= 0.47720E-04
A12= -0.23399E-01           A12= -0.94028E-05
A14= 0.00000E+00            A14= 0.13725E-05
単レンズデータ 
レンズ  始面    焦点距離(mm)  
1       2       3.016 
2       4      -5.586 
3       6       15.177  
4       8      -13.369  
5      10       2.195  
6      12      -1.963  
【００８９】
図２１は実施例９のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図２２は実施例９の収差図（球面収差（ａ）、非点収差（ｂ）、歪曲収差（ｃ））である。図２２（ａ）に示す球面収差曲線が、入射瞳の近傍でマイナス側からプラス側に向かう方向に曲げられている。
【００９０】
（実施例１０）
実施例１０の撮像レンズのレンズデータを、表１０に示す。
【００９１】
［表１０］
実施例10  
f=3.33mm    fB=0.19mm    F=1.86      2Y=6.142mm    
ENTP=0mm    EXTP=-2.3mm    H1=-1.13mm    H2=-3.14mm  
面番号  R(mm)   D(mm)   Nd         νd     有効半径(mm)    
1(絞り) ∞     -0.242                       0.90    
2*      1.644   0.462   1.54000     45.1    0.98    
3*   -116.879   0.084                       0.99    
4*   -858.208   0.120   1.63470     23.9    0.98    
5*      3.182   0.340                       0.97    
6*      9.399   0.452   1.54000     45.0    1.05    
7*     -4.992   0.251                       1.12    
8*     -7.224   0.274   1.63470     23.9    1.16    
9*      7.369   0.171                       1.39    
10*    30.898   1.031   1.54000     45.0    1.46    
11*    -1.176   0.474                       1.67    
12*    28.764   0.300   1.56640     34.8    2.07    
13*     1.064   0.402                       2.73    
14      ∞      0.110   1.51630     64.1    2.92    
15      ∞                                  2.96    
非球面係数 
第2面                  第8面       
K=  0.15407E+00         K=  0.00000E+00
A4= 0.23097E-02         A4= -0.15996E+00
A6= 0.15816E-01         A6= -0.25274E-01
A8= -0.31469E-02        A8= -0.13882E-01
A10= 0.42548E-02        A10= 0.55079E-02
A12= -0.27530E-02       A12= 0.68234E-02
A14= -0.88857E-02       A14= 0.00000E+00
第3面                  第9面       
K=  -0.80000E+02        K=  -0.51081E+02
A3= 0.00000E+00         A3= 0.18015E-01
A4= 0.14731E-01         A4= -0.16850E+00
A5= 0.00000E+00         A5= 0.20624E-01
A6= 0.19139E-01         A6= 0.13804E-01
A8= 0.33629E-01         A8= -0.25115E-02
A10= -0.85079E-01       A10= 0.20491E-02
A12= -0.25298E-01       A12= -0.32087E-02
A14= 0.41704E-01        A14= 0.19158E-02
第4面                  第10面      
K=  0.80000E+02         K=  -0.79994E+02
A3= 0.00000E+00         A3= -0.36859E-01
A4= -0.19534E-01        A4= 0.42130E-01
A5= 0.00000E+00         A5= -0.12039E+00
A6= 0.11330E+00         A6= 0.15172E-01
A8= -0.84611E-01        A8= 0.30456E-01
A10= -0.63903E-01       A10= -0.93945E-02
A12= 0.28660E-01        A12= -0.46416E-02
A14= 0.34209E-01        A14= 0.22343E-02
第5面                  第11面      
K=  -0.23169E+02        K=  -0.62059E+01
A3= 0.00000E+00         A3= -0.12109E+00
A4= 0.78664E-01         A4= -0.36990E-01
A5= 0.00000E+00         A5= 0.19293E-01
A6= 0.25701E-01         A6= 0.13946E-01
A8= -0.14041E-01        A8= -0.10374E-01
A10= -0.58359E-03       A10= 0.17189E-02
A12= -0.26518E-02       A12= 0.91181E-03
A14= 0.29962E-01        A14= -0.24272E-03
第6面                  第12面      
K=  0.72828E+02         K=  -0.52031E+02
A3= -0.10654E-01        A3= -0.17704E+00
A4= 0.44872E-02         A4= 0.30546E-02
A5= -0.77381E-01        A5= 0.83878E-02
A6= 0.95256E-02         A6= 0.67674E-02
A8= 0.16013E-01         A8= -0.17671E-03
A10= -0.17804E-01       A10= -0.14681E-03
A12= -0.21501E-01       A12= -0.21636E-05
A14= 0.10857E-01        A14= 0.26424E-05
第7面                  第13面      
K=  0.00000E+00         K=  -0.57457E+01
A3= 0.00000E+00         A3= -0.81481E-01
A4= -0.41586E-01        A4= 0.17132E-01
A5= 0.00000E+00         A5= 0.11302E-02
A6= -0.62547E-01        A6= 0.26515E-03
A8= -0.73870E-04        A8= -0.50226E-03
A10= 0.15832E-01        A10= 0.72053E-04
A12= -0.18035E-01       A12= -0.58229E-05
A14= 0.00000E+00        A14= 0.24528E-06
単レンズデータ 
レンズ  始面    焦点距離(mm)  
1       2       3.005  
2       4      -4.995  
3       6       6.105  
4       8      -5.706  
5      10       2.122  
6      12      -1.959  
【００９２】
図２３は実施例１０のレンズの断面図である。図中、撮像レンズは、物体側より順に、正の屈折力を有し光軸近傍で物体側に凸面を向け、両面共に非球面形状とした第１レンズＬ１、負の屈折力を有し光軸近傍で像側に凹面を向けた第２レンズＬ２、第３レンズＬ３、第４レンズＬ４、第５レンズＬ５、負の屈折力を有し光軸近傍で像側に凹面を向けた第６レンズＬ６、からなる。開口絞りＳが第１レンズＬ１の物体側に配置され、第６レンズＬ６の像側面は非球面形状であり、光軸との交点以外の位置に極値を有する。Iは撮像面を示す。また、Ｆは光学的ローパスフィルタやＩＲカットフィルタ、固体撮像素子のシールガラス等を想定した平行平板である。図２４は実施例１０の収差図（球面収差（ａ）、非点収差（ｂ）、歪曲収差（ｃ））である。図２４（ａ）に示す球面収差曲線が、入射瞳の近傍でマイナス側からプラス側に向かう方向に曲げられている。
【００９３】
各条件式に対応する各実施例の値を表１１に示す。
【００９４】
【表１１】
2014232147.tif 000004
【００９５】
また、本発明に適したレンズ材料の組み合わせを、表１２に示す。但し、これに限られない。
【００９６】
【表１２】
2014232147.tif 000005
【００９７】
近年、撮像装置を低コストに且つ大量に実装する方法として、予め半田がポッティングされた基板に対し、ICチップその他の電子部品と光学素子とを載置したままリフロー処理（加熱処理）し、半田を溶融させることにより電子部品と光学素子とを基板に同時実装するという技術が提案されている。
【００９８】
このようなリフロー処理を用いて実装を行うためには、電子部品と共に光学素子を約200〜260度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。
【００９９】
そこで、撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、撮像レンズを組み込んだ撮像装置の低コストと量産性を両立できる。なお、エネルギー硬化性樹脂とは、熱硬化性樹脂および紫外線硬化性樹脂のいずれをも指すものとする。
【０１００】
本発明の撮像レンズを前述のエネルギー硬化性樹脂も用いて形成しても良い。
【０１０１】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にいくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【０１０２】
本発明により、小型の携帯端末に好適な撮像レンズを提供できる。
【符号の説明】
【０１０３】
１０ 撮像レンズ
５０撮像ユニット
５１撮像素子
５１ａ光電変換部
５２基板
５３鏡筒
５３ａフランジ部
５４光学フィルタ
５５アクチュエータ
５５ａ キャリヤ
５５ｂ コイル
５５ｃ 磁石
５５ｄ ヨーク
５６回路基板
５７台座部材
５７ａ 側壁部
５７ｂ 上壁部
５７ｃ開口
６０ 入力部
７０ タッチパネル
８０ 無線通信部
９１ 記憶部
９２ 一時記憶部
１００ スマートフォン
１０１ 制御部
Ｉ  撮像面
Ｆ ＩＲカットフィルタ
Ｌ１〜Ｌ６ レンズ
Ｓ 開口絞り
【図１】
2014232147.tif 000006
【図２】
2014232147.tif 000007
【図３】
2014232147.tif 000008
【図４】
2014232147.tif 000009
【図５】
2014232147.tif 000010
【図６】
2014232147.tif 000011
【図７】
2014232147.tif 000012
【図８】
2014232147.tif 000013
【図９】
2014232147.tif 000014
【図１０】
2014232147.tif 000015
【図１１】
2014232147.tif 000016
【図１２】
2014232147.tif 000017
【図１３】
2014232147.tif 000018
【図１４】
2014232147.tif 000019
【図１５】
2014232147.tif 000020
【図１６】
2014232147.tif 000021
【図１７】
2014232147.tif 000022
【図１８】
2014232147.tif 000023
【図１９】
2014232147.tif 000024
【図２０】
2014232147.tif 000025
【図２１】
2014232147.tif 000026
【図２２】
2014232147.tif 000027
【図２３】
2014232147.tif 000028
【図２４】
2014232147.tif 000029